(57)【特許請求の範囲】
【請求項１】
便器に取り付けられる本体ハウジングに形成され、前記便器の内部に対して設けられる吸気口から吸入された臭気を排気口へと通す通気孔と、
該通気孔の途中に設けられ、前記便器の内部から吸入された臭気の脱臭を行う脱臭材と、
該脱臭材に対向して設けられ、前記脱臭材への異物の侵入を抑制するフィルタと、
前記通気孔内に設けられ、臭気を前記脱臭材へと導くファンと、を備えた脱臭装置において、
前記フィルタに対して進退動作することにより、前記フィルタのフィルタ面の清掃を行う清掃部と、
前記本体ハウジングに設けられ、外部操作により前記清掃部を進退動作させる操作部と、
前記操作部と前記本体ハウジングとの間に設けられ、前記操作部の操作力が一方向に作用すると、前記操作部を原位置に復帰させる付勢部材とを備える脱臭装置。
【請求項２】
前記操作部は、前記本体ハウジング側から外部操作が行え、前記清掃部と連結する伝達部を有する請求項１に記載の脱臭装置。
【請求項３】
前記清掃部は、前記フィルタ面に対して一方向に並設された複数のリブを有し、該リブには前記フィルタ面に付着する異物を払い除けて除去する除去部材を備える請求項１に記載の脱臭装置。
【請求項４】
前記除去部材は、ブラシ状または先細り状となっている請求項３に記載の脱臭装置。
【請求項５】
前記リブは操作方向に等間隔に設けられている請求項３または請求項４に記載の脱臭装置。
【請求項６】
前記リブは補強リブにより連結されている請求項３乃至請求項５のいずれか一項に記載の脱臭装置。
【請求項７】
便器に取り付けられる本体ハウジングに形成され、前記便器の内部に対して設けられる吸気口から吸入された臭気を排気口へと通す通気孔と、
該通気孔の途中に設けられ、前記便器の内部から吸入された臭気の脱臭を行う脱臭材と、
該脱臭材に対向して設けられ、前記脱臭材への異物の侵入を抑制するフィルタと、
前記通気孔内に設けられ、臭気を前記脱臭材へと導くファンと、を備えた脱臭装置において、
前記フィルタに対して進退動作することにより、前記フィルタのフィルタ面の清掃を行う清掃部と、
前記本体ハウジングに設けられ、外部操作により前記清掃部を進退動作させる操作部とを備え、
前記清掃部は、前記フィルタ面に対して一方向に並設された複数のリブを有し、該リブには前記フィルタ面に付着する異物を払い除けて除去する除去部材を備え、
前記リブは補強リブにより連結されている脱臭装置。
【発明の詳細な説明】
【技術分野】
【０００１】
本発明は、便座に備え付けられる脱臭装置の脱臭材を取り外すことなく清掃が行える脱臭装置に関するものである。
【背景技術】
【０００２】
従来、特許文献１には、便座に設けられた本体ハウジングに着脱可能な脱臭材（脱臭カートリッジ）を備えた脱臭装置が開示されている。本体ハウジングには、着脱可能な脱臭材とともにファンが内蔵された通気孔（脱臭ハウジング）が設けられている。通気孔は、便器内の空気を取り込む吸気口（吸入口）と、吸入された空気を便器外へ排出する排出口とが設けられている。この脱臭装置は、通気孔の吸気口側に脱臭材が配設され、脱臭材の排出口側にファンが配設されている。さらに、通気孔には、脱臭材の下面に脱臭材の着脱を行う着脱口が設けられ、着脱蓋によって開閉可能な構造となっている。また、脱臭材の上面には、脱臭材を装着するための装着口が設けられている。また、この脱臭材は、吸気口側および排出口側にフィルタ（メッシュ）が設けられ、脱臭材の網目に埃等が詰まらないようにしている。このフィルタを有する脱臭材は、使用者が脱臭材を通気孔から取り外してから、フィルタの清掃を行うことで脱臭性能を維持することができる。
【０００３】
また、特許文献２には、通気孔に脱臭材とファンと通気孔の吸気口（臭気吸入口）に設けられたフィルタ（メッシュフィルタ）とフィルタを自動で清掃する清掃部とによって構成されている脱臭装置が開示されている。この清掃部は、タイマースイッチ又は手動スイによって電磁バルブを操作することで、水道とフィルタを清掃する洗浄ノズルとを連通し、洗浄ノズルより噴射される洗浄水によってフィルタを洗浄する構成となっている。この脱臭装置は、脱臭材とフィルタの間に距離があるため、洗浄ノズルから噴出される洗浄水によってフィルタを直接洗浄が可能である。また、このタイマースイッチ又は手動スイッチは、フィルタの目詰まりを起こす前に起動させることでフィルタの清掃効果を高め、脱臭機能を正常に作動させることができる。
【先行技術文献】
【特許文献】
【０００４】
【特許文献１】特開２００２−２４２２５８号公報
【特許文献２】実用新案登録第３１４８６０２号
【発明の概要】
【発明が解決しようとする課題】
【０００５】
上記した特許文献１の脱臭装置では、使用者が脱臭材の清掃をする際は、脱臭材を交換する時と同様に脱臭材を取り外すことになるため、使用者の作業効率の向上を図る必要がある。さらに、特許文献２の脱臭装置の洗浄手段は、洗浄ノズルから出る洗浄水で埃等を便器内へ排出する構造となっているため、洗浄ノズルの水圧や範囲によって、フィルタの異物（ゴミや埃等）の除去作業にむらができるおそれがある。
【０００６】
そこで、本発明は、脱臭材を取り出すことなくフィルタに対してむらのない清掃を行うことが可能な清掃機能付きの脱臭装置を提供する。
【課題を解決するための手段】
【０００７】
上記の課題を解決するために講じた手段は、便器に取り付けられる本体ハウジングに形成され、便器の内部に対して設けられる吸気口から吸入された臭気を排気口へと通す通気孔と、通気孔の途中に設けられ、便器の内部から吸入された臭気の脱臭を行う脱臭材と、脱臭材に対向して設けられ、脱臭材への異物の侵入を抑制するフィルタと、通気孔内に設けられ、臭気を脱臭材へと導くファンとを備えた脱臭装置において、フィルタに対して進退動作することにより、フィルタのフィルタ面の清掃を行う清掃部と、本体ハウジングに設けられ、外部操作により清掃部を進退動作させる操作部と、操作部と本体ハウジングとの間に設けられ、操作部の操作力が一方向に作用すると、操作部を原位置に復帰させる付勢部材と、を備える構成とした。
【０００８】
この構成において、操作部は、本体ハウジング側から外部操作が行え、清掃部と連結する伝達部を有する構成とするとよい。
【０００９】
また、清掃部は、フィルタ面に対して一方向に並設された複数のリブを有し、リブにはフィルタ面に付着する異物を払い除けて除去する除去部材を備えるとよい。
【００１０】
また、除去部材は、ブラシ状または先細り状であるとよい。
【００１１】
また、リブは操作方向に等間隔に設けられているとよい。
【００１２】
また、リブは、補強リブにより連結されているとよい。
【００１３】
また、便器に取り付けられる本体ハウジングに形成さ
れ、便器の内部に対して設けられる吸気口から吸入された臭気を排気口へと通す通気孔と、通気孔の途中に設けられ、便器の内部から吸入された臭気の脱臭を行う脱臭材と、脱臭材に対向して設けられ、脱臭材への異物の侵入を抑制するフィルタと、通気孔内に設けられ、臭気を脱臭材へと導くファンとを備えた脱臭装置において、フィルタに対して進退動作することにより、フィルタのフィルタ面の清掃を行う清掃部と、本体ハウジングに設けられ、外部操作により清掃部を進退動作させる操作部とを備え、清掃部は、フィルタ面に対して一方向に並設された複数のリブを有し、リブにはフィルタ面に付着する異物を払い除けて除去する除去部材を備え、リブは、補強リブにより連結されている構成とした。
【発明の効果】
【００１４】
本発明によれば、この脱臭装置は、本体ハウジングの表面に設けられた操作部を操作することにより、通気孔内の脱臭材のフィルタを掃除する清掃部を進退動作させてフィルタに溜まった異物（ゴミや埃等）を取り除くことができる。これにより、脱臭装置は、脱臭材を本体ハウジングから取り外すことなく脱臭材のフィルタの表面をきれいに保つことができる。また、脱臭装置は、フィルタの異物を水圧の強さ等による除去むらを低減することができる。さらに、この脱臭装置は、付勢部材を設けることで操作部を使用した際に、操作前の原位置まで操作部を復帰させることが可能であり、操作性を向上することができる。
【００１５】
また、この脱臭装置は、伝達部によって操作部と清掃部とが連結されている構成とすれば、操作部の動作を効率よく清掃部の動作として伝えることが可能となる。
【００１６】
また、清掃部は、移動部が操作部と連動する構成とすれば、移動部のリブに設けられたフィルタと当接する除去部材が動くため、フィルタ面のごみ等の異物を除去部材が取り除くことができる。このため、脱臭装置は脱臭材を本体ハウジングから取り外すことなく掃除することが可能である。
【００１７】
また、除去部材が先細り形状であり先端で接触する構成とすれば、操作部の動作に合わせて動作するため、フィルタ面の異物を取り除くことが可能となる。除去部材がフィルタに向けてブラシ状に設けられていることで、フィルタ面に対して当接する部分が多くなるため、小さな異物についても取り除くことができる。
【００１８】
また、この脱臭装置は、リブの間隔を一定にする構成とすれば、操作部の操作量がリブの間隔と同様にできるため、操作量を少なくすることが可能となる。
【００１９】
また、この脱臭装置は、リブに補強リブを設ける構成とすれば、リブの剛性強度を保つことができ、フィルタの溜まった異物を効率よく取り除くことが可能となる。
【００２０】
本発明によれば、この脱臭装置は、本体ハウジングの表面に設けられた操作部を操作することにより、通気孔内の脱臭材のフィルタを掃除する清掃部を進退動作させてフィルタに溜まった異物（ゴミや埃等）を取り除くことができる。これにより、脱臭装置は、脱臭材を本体ハウジングから取り外すことなく脱臭材のフィルタの表面をきれいに保つことができる。また、脱臭装置は、フィルタの異物を水圧の強さ等による除去むらを低減することができる。また、清掃部は、移動部が操作部と連動する構成とすれば、移動部のリブに設けられたフィルタと当接する除去部材が動くため、フィルタ面のごみ等の異物を除去部材が取り除くことができる。このため、脱臭装置は脱臭材を本体ハウジングから取り外すことなく掃除することが可能である。また、この脱臭装置は、リブに補強リブを設ける構成とすれば、リブの剛性強度を保つことができ、フィルタの溜まった異物を効率よく取り除くことが可能となる。
【図面の簡単な説明】
【００２１】
【図１】本発明の清掃機能付きの脱臭装置を便器に取付けた場合の斜視図である。
【図２】本発明の脱臭装置の構成を示す構成図である。
【図３】図２の脱臭装置のフィルタ部分の正面図である。
【図４】図３に示す除去部材の変形例１の斜視図である。
【図５】図３に示す除去部材の変形例２の斜視図である。
【図６】清掃機能付きの脱臭装置の操作の別構成を示す構成図である。
【発明を実施するための形態】
【００２２】
本発明に係わる清掃機能付きの脱臭装置１の構成ついて、図１、図２を用いて説明する。図１は、本発明の清掃機能付きの脱臭装置１を便器２に取付けた場合の斜視図を示しており、図２は、本発明の脱臭装置１の構成を示す構成図を示している。
【００２３】
図１及び図２に示すように清掃機能付きの脱臭装置１は、便器２に取付けられ、便座３及び便蓋４が回動可能に支持されている本体ハウジング５内に設けられている。この本体ハウジング５内には、脱臭装置１の他に、人体の局部を洗浄する洗浄装置６や、洗浄水を給湯するためのタンク７等が配設されている。この脱臭装置１は、便器２内に発生した臭気を脱臭材１１によって脱臭して便器２外へと排出することが可能である。脱臭装置１は、便器２内側に開口する吸気口１３と便器２外へ開口する排気口１４とを有する通気孔１２が設けられている。この通気孔１２には、吸気口１３側に脱臭材１１（例えば、活性炭等）を配設し、排気口１４と脱臭材１１との間に正逆回転可能なファン１５を設けている。このファン１５が駆動することにより、脱臭装置１は、便器２内に溜まった臭気が吸気口１３から吸気され、脱臭材１１へ通気することで脱臭され、排気口１４より排気される構造となっている。更に、脱臭材１１の吸気口１３側には、脱臭材１１への異物の侵入を抑制するフィルタ１６を清掃する清掃部２０が設けられている。この清掃部２０は、本体ハウジング５の表面に設けられた操作部３０と伝達部４０を介して連結され、操作部３０を進退させることで、図２に示す本体ハウジング５の前後方向に対して直交する操作部３０の進退方向と同方向であり、脱臭材１１を構成する吸気口１３側のフィルタ１６に対して平行方向に進退する構造となっている。本実施形態では、図２に示されるように清掃部２０が進退する動作軸（フィルタ１６に対して平行に動作する軸）と操作部３０が進退する動作軸（清掃部２０の動作軸に対して平行に動作する軸）とが同軸上でないため、伝達部４０を介して操作部３０に加わる力をクランク形状により清掃部２０へと伝達している。この伝達部４０は、操作部３０と連結している第１伝達部４１と、清掃部２０と連結している第２伝達部４２と、動作軸の異なる第１伝達部４１及び第２伝達部４２とを各動作軸に対して直交方向で連結する第３伝達部４３とで構成されている。この時、伝達部４０には、進退する操作部３０に応じて、進退方向のどちらか一方を付勢する付勢部材５０が設けられている。本実施形態の脱臭装置１は、外部操作によって操作部３０を所定位置（図２に示す原位置）から本体ハウジング５に対して外部方向（例えば、図２に示す進行方向）へ引くことにより清掃部２０を脱臭材１１の吸気口１３側に設けられたフィルタ１６に対して平行に作動させ、操作力を弱めることで本体ハウジング５に対して内部方向（例えば、図２に示す後退方向）へと付勢する付勢部材５０によって所定位置に戻す（復帰させる）ことで進退させていることが可能である。付勢部材５０は、第３伝達部４３に形成され、進退方向の操作部３０側へ湾曲し、第３伝達部４３との間に所定空間を有する湾曲部５１（例えば、弾力性を有する樹脂材によって形成されている）と、本体ハウジング５に設けられ、湾曲部５１の略中央に配設されたストッパ部５２とで構成している。更に、この湾曲部５１は、操作部３０によって図２に示す進行方向側へと移動すると本体ハウジング５に設けられたストッパ部５２によって係止されるため、湾曲部５１と第３伝達部４３によって形成されている所定空間側へ変形する。これにより、付勢部材５０は、操作部３０の移動方向と反対方向である後退方向へ付勢力が発生する。また、この脱臭装置１は、本体ハウジング５に複数のガイド６０を設け、操作部３０及び清掃部２０と一体となって動く伝達部４０がこれらのガイド６０によって一方向に変位可能に案内されるため、伝達部４０の動作が円滑になる。このように脱臭装置１は、操作部３０及び清掃部２０も同様に複数のガイド６０によって動作方向を案内されるため、操作部３０及び清掃部２０の動作も円滑になる。
【００２４】
次に、本発明に係わる脱臭装置１の清掃部２０の構成ついて、図３を用いて説明する。図３は、図２の脱臭装置１のフィルタ１６部分の正面図を示している。
【００２５】
図３に示すように脱臭装置１の清掃部２０は、第２伝達部４２より延在する移動部２１が設けられており、この移動部２１から鉛直方向に延びるリブ２２が複数設けられている。このリブ２２には、脱臭材１１に対向して吸気口１３側に設けられ、脱臭材１１のフィルタ１６のフィルタ面１６ａに対して一方向に並設されており、フィルタ面１６ａと当接する除去部材２３が設けられている。この除去部材２３が、操作部３０の進退動作によって進退する（フィルタ１６に対して平行移動する）移動部２１と共に動作することでフィルタ面１６に対して摺動し、フィルタ１６に溜まった異物（例えば、ゴミや埃等）を払い除くように取り除く構造となっている。この複数のリブ２２には、互いに連結するようにリブ２２に対して直交する補強リブ２４（例えば、リブ２２と一体に成形されている）が設けられている。これにより、脱臭装置１は、操作部３０の進退動作時における清掃部２０のリブ２２の強度を増すことができる。また、除去部材２３を有する複数のリブ２２は、等間隔で設けられている。リブ２２が等間隔で設けられていることで、脱臭装置１は、リブ２２とリブ２２との間の距離Ｓ分だけ操作部３０を進退させれば除去部材２３がフィルタ１６の全面を清掃することが可能となる。
【００２６】
次に、本発明に係わる脱臭装置１の清掃機能である除去部材２３の構成ついて、図４、図５を用いて説明する。図４は、図３に示す除去部材２３の変形例１の斜視図を示し、図５は、図３に示す除去部材２３の変形例２の斜視図を示している。
【００２７】
（変形例１）
図４に示すような除去部材２３ａは、移動部２１に設けられたリブ２２の脱臭材１１側の面２２ａに先細りの形状であり、リブ２２の鉛直方向に設けられている。この除去部材２３ａの先端が、フィルタ１６に対して接触しながら、移動部２１の動きと同時にフィルタ面１６ａの水平方向へ移動する。この除去部材２３ａは、例えば、弾性体又はリブ２２と同様な部材（樹脂部材）等で一体若しくは別体に形成されていてもよい。
【００２８】
（変形例２）
図５に示すような除去部材２３ｂは、リブ２２の脱臭材１１側の面２２ａにブラシ状に設けられている。このブラシ状の除去部材２３ｂが、リブ２２にインサート成形されており、リブ２２の脱臭材１１側の面２２ａの全面に設けられている。この除去部材２３ｂが、フィルタ面１６ａと接触しながら移動部２１の動きと同時にフィルタ１６の水平方向へ移動する。また、この除去部材２３ｂは、例えば、弾性体又は繊維部材等で形成されている。
【００２９】
次に、本発明に係わる脱臭装置１の操作に関する別構成について、図６を用いて説明する。図６は、清掃機能付きの脱臭装置１の操作が別構成の構成図を示している。
【００３０】
図６に示すように、本体ハウジング５は、脱臭装置１等の各装置が設けられたベースプレート５ａと、ベースプレート５ａを便器２に取り付ける取付部材（図示せず）と、このベースプレート５ａを取付部材から着脱する着脱レバー３０ａが設けられている。また、着脱レバー３０ａには、ベースプレート５ａと取付部材を連結するロック機構７０が設けられている。このロック機構７０が、着脱レバー３０ａを進退させることにより取付部材とベースプレート５ａとの係止が解除されるため、ベースプレート５ａを取付部材から取り外すことができる。この着脱レバー３０ａは、ベースプレート５ａに対して係止され、に着脱レバー３０ａの動きを進退方向のいずれか一方に付勢する付勢部材５０（例えば、金属製のスプリング５３等）によって動きが規制されている。この脱臭装置１は、付勢部材５０によって着脱レバー３０ａを押す又は引くことで清掃部２０を動作させた際に着脱レバー３０ａを所定の位置（動作前の位置）へ戻すことが可能となる。この着脱レバー３０ａは、脱臭装置１の清掃部２０である移動部２１と連結する伝達部４０が設けられており、着脱レバー３０ａと連動するように移動部２１が動く構造となっている。このように、着脱レバー３０ａが、図２および図３に示されるような操作部３０の役割を担うことができる。この場合、伝達部４０には、着脱レバー３０ａに付勢部材５０が設けられているため、伝達部４０に付勢部材５０を設ける必要がない。
【００３１】
また、脱臭装置１は、操作部３０（図２及び図３に示す操作部３０及び着脱レバー３０ａ）と清掃部２０との動作軸が平行であるため、本体ハウジング５のベースプレート５ａに沿うように脱臭装置１の清掃機能を配設することができるため、設置空間の確保が容易である。
【００３２】
次に脱臭装置１の脱臭材１１の掃除方法について説明する。
【００３３】
脱臭材１１のフィルタ１６を清掃する際、この脱臭装置１は、操作部３０（着脱レバー３０ａを含む）を本体ハウジング５に対して進退させることで脱臭材１１のフィルタ１６を清掃する清掃部２０の移動部２１をフィルタ１６に対して平行に移動させる。このとき、移動部２１のリブ２２に設けられたフィルタ１６との除去部材２３は、移動部２１が動くことによってフィルタ面１６ａを摺動するため、フィルタ面１６ａのごみ等の異物を取り除くことができる。さらに、取り除かれたごみ等は、吸気口１３側へ空気が流れるようにファン１５を回転させることで、吸気口１３から便器２内へ排出される。このため、脱臭装置１は、脱臭材１１を本体ハウジング５から取り外すことなく清掃が可能となる。
【００３４】
以上、実施形態の構成について説明したが、本発明はこれに限定されるものではなく、以下に示す態様に変更してもよい。
【００３５】
・操作部３０と清掃部２０の移動部２１を連結する伝達部４０に設けられた樹脂製の付勢部材５０は、金属製のスプリング５３による付勢部材５０としても良い。
【００３６】
・着脱レバー３０ａと清掃部２０の移動部２１を連結する伝達部４０に設けられた金属製の付勢部材５０は樹脂製の湾曲部５１を備えた付勢部材５０としても良い。
【００３７】
・本実施形態に記載されている外部方向（図２に示す進行方向）へ引くことにより清掃部２０を作動させる操作部３０が、内部方向（図２に示す後退方向）に押すことで清掃部２０を作動させる場合は、付勢部材５０を外部方向側へと付勢するように設けての良い。こらは、付勢部材５０が、動作後の操作部３０を動作前の位置に復帰させることができれば良いからである。
【００３８】
・操作部３０の進退する動作軸と清掃部２０の動作軸が同軸上にあっても良い。この時、伝達部４０には、第１伝達部４１と第２伝達部４２との間の第３伝達部４３を設ける必要がなく、脱臭装置１は簡素な清掃機構を構築することが可能である。
【００３９】
・脱臭材１１に対向して設けられたフィルタ１６は、吸気口１３側に設けられていれば、脱臭材１１に対して一体又は別体に設けられていても良い。
【００４０】
・補強リブ２４は、リブ２２と一体に成形されていなくてもよく、リブ２２と連結するようにして固定部材（例えばヒンジ等）や溶接（リブ２２が金属等で形成されていた場合）等で固定されていても良い。
【符号の説明】
【００４１】
１  脱臭装置
２  便器
５  本体ハウジング
１１  脱臭材
１２  通気孔
１３  吸気口
１４  排気口
１５  ファン
１６  フィルタ
１６ａ  フィルタ面
２０  清掃部
２２  リブ
２３  除去部材
２４  補強リブ
３０  操作部
４０  伝達部
５０  付勢部材
【図１】
0005712581.tif 000002
【図２】
0005712581.tif 000003
【図３】
0005712581.tif 000004
【図４】
0005712581.tif 000005
【図５】
0005712581.tif 000006
【図６】
0005712581.tif 000007